(57)【要約】      （修正有）【課題】本発明は、衝撃を受けたとしても容易に変形することがない建具の付け枠を提供する。【解決手段】建具の付け枠１０を、縦枠材３０にネジ止め固定される付け枠基材１１と、付け枠基材１１にネジ止め固定されるカバー部材１２で構成し、付け枠基材１１に、平面視で出入り口方向に延出する第一壁部を形成し、カバー部材１２に、第一壁部と対向側で同じく出入り口方向に延出する第二壁部を形成し、第一壁部と第二壁部が対向側に互いに寄ることを防止する規制部材１１３、１３２を設ける。【選択図】図３
2020165095.tif 000002
【特許請求の範囲】
【請求項１】
壁面等の出入り口開口部を形成する開口枠の縦枠材に取り付けるドアセット用の付け枠部材であって、付け枠部材は、ドアセットの扉の戸先側の戸当りとされるもので、前記縦枠材にネジ止め固定される付け枠基材と、付け枠基材にネジ止め固定されるカバー部材で構成されるとともに、付け枠基材は、平面視で出入り口方向に延出する第一壁部を形成し、カバー部材は、第一壁部と対向側で同じく出入り口方向に延出する第二壁部を形成し、さらに付け枠部材は、第一壁部と第二壁部が対向側に互いに寄ることを防止する規制部材を有することを特徴とする建具の付け枠構造。
【請求項２】
カバー部材の縦枠材側端部が、壁面より突出する縦枠材の開口側側面の対向側側面に当接または近接することを特徴とする請求項１に記載の建具の付け枠構造。
【発明の詳細な説明】
【技術分野】
【０００１】
本発明は、建築物内で出入り口として使用される開口部の枠体に取り付ける建具用の枠体構造に関するものである。
【背景技術】
【０００２】
壁面等に設けられる出入り口用の開口部には、壁面と開口部の縁部分に三方や四方の開口枠が設置され開口部を形成されることが多い。  そして、該開口部にドアセットを設置することにより、出入り口を開閉自在に閉塞することも多く見受けられる。  このようなドアセットは、戸体用の枠体と開口部を閉塞する扉体で構成されることが一般的である。  そして、枠体に中には前記開口部の開口枠と連結される付け枠構造の付け枠体とされたものがある（例えば特許文献１）。
【０００３】
付け枠体の場合、開口枠から出入り方向に突き出して枠体が設置されることになるため、ワゴンや台車、病院などではベッドなどが接触する可能性が高くなるため、構造的に強いものが要求される。  特許文献１で開示されている付け枠体（符号２）は、まず開口枠に基材を固定し、該基材に被せるようにカバー材を被せた上で、基材とカバー材が固定されている。  
【０００４】
しかしながら、このような付け枠体では、特にドアセットの戸先側にあたる付け枠が開口部より大きく突き出すことになり、特許文献１のような付け枠体（符号２）は、平面視で略ロ字状で内部が中空状になる上、基材とカバー部材は、溶接などによって強固に連結できないことから付け枠に大きな衝撃が加わると付け枠が変形する恐れがある。
【先行技術文献】
【特許文献】
【０００５】
【特許文献１】登録実用新案第３０６３６２１号公報
【発明の概要】
【発明が解決しようとする課題】
【０００６】
本発明は、従来の問題点に鑑みて、衝撃を受けたとしても容易に変形することがない付け枠を提供することを課題とする。
【課題を解決するための手段】
【０００７】
そこで、上記課題を解決する為、本発明が第１の手段として構成したところは、壁面等の出入り口開口部を形成する開口枠の縦枠材に取り付けるドアセット用の付け枠部材であって、付け枠部材は、ドアセットの扉の戸先側の戸当りとされるもので、前記縦枠材にネジ止め固定される付け枠基材と、付け枠基材にネジ止め固定されるカバー部材で構成されるとともに、付け枠基材は、平面視で出入り口方向に延出する第一壁部を形成し、カバー部材は、第一壁部と対向側で同じく出入り口方向に延出する第二壁部を形成し、さらに付け枠部材は第一壁部と第二壁部が対向側に互いに寄ることを防止する規制部材を有するものである。
【０００８】
上記課題を解決する為、本発明が第２の手段として構成したところは、第１の手段に加え、カバー部材の縦枠材側端部が、壁面より突出する縦枠材の開口側側面の対向側側面に当接または近接するものである。
【発明の効果】
【０００９】
請求項１に記載の発明によると、付け枠基材の第一壁部とカバー部材の第二壁部が互いに寄り合う方向に規制部材を有するから、規制部材が突っ張り支持材となり第一壁部と第二壁部が互いに寄り合わないようにできるから、付け枠に衝撃が加わった時に付け枠の変形を防止することができる。
【００１０】
請求項２に記載の発明によると、前記効果に加え、カバー部材の縦枠材側端部が、壁面より突出する縦枠材の開口側側面の対向側側面に当接または近接するから、付け枠に開口部側からの衝撃が加わったときに、付け枠の縦枠材側端部が縦枠材に接触するため、付け枠に加わった衝撃を縦枠材によって支えることができ、付け枠の変形を防止することができる。
【図面の簡単な説明】
【００１１】
【図１】本発明の付け枠が取り付けられている開口部の正面図
【図２】本発明の付け枠が取り付けられている開口部の背面図
【図３】本発明の開口部の戸先側の要部水平断面図
【図４】ドアセット部の縦断面図
【図５】付け枠基材の断面図
【図６】カバー部材の断面図
【図７】その他の実施例を示す断面図
【図８】第２実施例の開口部説明図
【図９】第２実施例の開口部の戸先側の要部水平断面図
【発明を実施するための形態】
【００１２】
壁面等の出入り口開口部を形成する開口枠の縦枠材に取り付けるドアセット用の付け枠部材をドアセットの扉の戸先側の戸当りとし、縦枠材にネジ止め固定される付け枠基材と、付け枠基材にネジ止め固定されるカバー部材で構成するとともに、付け枠基材に、平面視で出入り口方向に延出する第一壁部を形成し、カバー部材に、第一壁部と対向側で同じく出入り口方向に延出する第二壁部を形成し、カバー部材の縦枠材側端部を、壁面より突出する縦枠材の開口側側面の対向側側面に近接させ、第一壁部と第二壁部が対向側に互いに寄ることを防止する規制部材を設ける。
【実施例】
【００１３】
以下実施例１を図面に基づいて説明する。
図１は、壁面と、壁面に設けられた出入り口の開口部を示す図で、図２は、同開口部を図１と対向する側の図であって、符号１は建築物などの壁を示し、符号２００は開口部を示し、符号３００は開口部を形成する出入り口三方枠を示し、符号４００は開口部２００を開閉自在に閉塞するドアセットを示している。
図２は、図２の水平断面図であって、符号３０は、出入り口三方枠３００のドアセット４００の戸先側の縦枠を示し、符号３１は、出入り口三方枠３００のドアセット４００の戸尻側の縦枠を示し、符号１０は、戸先側の縦枠３０に取り付けられるドアセット４００の戸先縦枠を示し、符号４０は、開口部２００を開閉自在に閉塞する引き戸扉を示している。
【００１４】
戸先側の縦枠３０と戸尻側の縦枠３１は、それぞれ出入り口方向に細長い扁平状の長方形を成し、鋼板を折り曲げて形成され、壁面１を構成する骨材１０１に連結金具３３を介してネジ止めや溶接止め等にて連結されて開口部２００に設置され、開口縁部を形成している。
尚、出入り口三方枠３００は、実施例においては、鋼製あるが、木製、樹脂製など適宜材料が選定されるものである。
【００１５】
ドアセット４００は、開口部２００を開閉自在に閉塞する引き戸であって、主に開口部の出入り口三方枠３００の上枠３２の上方の壁面１に固定されるレール部材５０と、レール部材５０に吊り下げ金具６０、６０を介して吊り下げられる引き戸扉４０と、引き戸扉４０を下部で支持する振れ止め７０と、引き戸扉４０を戸先側で受け止める戸当りとされる付け枠１０と、レール部材５０を隠蔽するように設置されるメンテナンスパネル８０で構成される。
【００１６】
そして、吊り下げ金具６０に備える転動可能なローラー６０１が、レール部材５０のレール材５０１の内部を転動することによって引き戸扉４０が壁面１と平行に摺動可能に吊り下げられる。引き戸扉４０は、引き戸扉４０の下面に設置されたガイド溝４０１内に、床面、あるいは、戸尻側の縦枠３１に固定された振れ止め７０のガイドローラー７０１が、係合し、引き戸扉４０の開閉時の左右（出入り方法）の振れを規制している。
【００１７】
付け枠１０は、床面から戸先側の縦枠３０の高さより上方にやや高くまで延伸した縦長形態を成し、主に付け枠基材１１とカバー部材１２で構成され、それぞれ鋼板を折り曲げることによって形成されている。
付け枠基材１１は、図３、図５に示すように、平面視で戸先側の縦枠３０の正面側の見付け面３０１に沿う取り付け基部１１１と、取り付け基部１１１の引き戸扉４０側端から出入り方向に折り曲げられ延伸する第一壁部１１２と、第一壁部１１２の延伸端で引き戸扉４０側と反対方向に曲げられ延伸し、該延伸端から壁面１側に折り曲げられ延伸する鉤状に形成される第一規制部１１３と、第一壁部１１２の引き戸開閉方向の対向側で、同じく取り付け基部１１１から出入り方向に折り曲げられ延伸する補強片１１４で構成される。
そして、取り付け基部１１１には取り付け用の丸孔１１１０１が上下方向に複数個設けられ、第一規制部１１３には、丸孔１１１０１に対応して、後述するドリリングタッピン小ネジが挿通可能な覗き穴１１３ａが複数個設けられ、第一壁部１１２には、カバー部材１２の連結用の連結孔１１２ａが上下方向に複数個設けられ、さらに第一壁部１１２の上下方向の中間付近に引き戸扉４０に設置された鎌錠に対応して鎌錠受け４２の設置用の開口部が設けられている。
【００１８】
カバー部材１２は、出入り方向に延伸する第二壁部１２１と、第二壁部１２１の壁面１側端で引き戸扉４１側に折り曲げられ形成される当接部１２２と、第二壁部１２１の壁面１側端の対向側端で引き戸扉４１側に折り曲げられ、更に先端で開口部２００側に折り曲げられ、更に先端で第二壁部１２１側に折り曲げられ鉤状に形成される付け枠見付け面１２３で構成される。
そして、第二壁部１２１の内側（引き戸扉４０側）に、規制部材１３が溶接固定にて不動に取り付けられている。
【００１９】
取り付け部材１３は、第二壁部１２１の内面に沿う基材１３１と、基材１３１の壁面１側端から引き戸扉４０に向かって延伸する第二規制部１３２と、第二規制部１３２の延伸端から開口２００側に延伸する連結部１３３で構成され、連結部１３３には、付け枠基材１１の連結孔１１２ａに対応した、連結ネジ孔１３３ａが複数個設けられている。
【００２０】
このように構成される付け枠１０の各部材は次のように取り付けられる。
まず、付け枠基材１１の取り付け基部１１１を、戸先側の縦枠３０の見付け面３０１に当て、補強片１１４の外側面（図３における左側面）と戸先側の縦枠３０の外側面（同じく図３における左側面）が正面側（図３における下側）から見て一致するように調節し、丸孔１１１０１を使ってドリリングタッピン小ネジで戸先側の縦枠３０の見付け面３０１にネジ止めする。
次に、カバー部材１２の連結部１３３が第一壁部１１２の内面に当接するように、カバー部材１２を付け枠基材１１１の外側面（図３における左側面）から差し込む。
そして、第一壁部１１２と連結部１３３を、皿小ネジを使って、第一壁部１１２の連結孔１１２ａと連結部１３３の連結ネジ孔１３３Ａで螺着し、付け枠１０は戸先側の縦枠３０に取り付けられる。
また、図示しないが、床面の材質に応じて、第一壁部１１２の下部に付け枠１０の内面側に突出し、かつ床面に設置する片を持つＬ字状のアングル材を設置して、床面とアングル材をアンカー固定して付け枠１０の剛性を上げることもある。
【００２１】
このように取り付けられた付け枠１０は、第一壁部１１２と第二壁部１２１が取り付け部材１３で連結され、第二規制部１３３が第一壁部１１２と第二壁部１２１間にあるので、第一壁部１１２と第二壁部１２１は、互いに寄り合うことができない。
また、第一規制部１１３も第一壁部１１２と第二壁部１２１間にあるので、第一壁部１１２と第二壁部１２１は、互いに寄り合うことができない。
そのため、付け枠１０の第一壁部１１２あるいは第二壁部１２１から台車やベッドなどが衝突しても、第一規制部１１３、第二規制部１３３の剛性によって、第一壁部１１２と第二壁部１２１が寄り合うように変形することを防止できる。
【００２２】
さらに、付け枠１０は戸先側の縦枠３０に取り付けられた状態で、カバー部材１２の当接部１２２の先端が、戸先側の縦枠３０の外側３０２（図３における左側面）に近接しており、第一壁部１１２側から大きな荷重がかかった場合、付け枠１０は、前述のドリリングタッピン小ネジ付近を支点として、第二壁部１２１側に回転変形しようとするが、この時、接部１２２の先端が、戸先側の縦枠３０の外側３０２に接触し、該回転変形する力を受け止めるため、付け枠１０の過度な変形を防止することができる。
このように、付け枠１０に戸先側の縦枠３０に当接する当接部１２２を設けることにより、付け枠１０と戸先側の縦枠３０の協働で剛性を確保している。
【００２３】
図７における（イ）は、規制部材を第一規制部１１３のみとした実施例であり、同じく図７における（ロ）は、規制部材を第二規制部１３２のみとした実施例であり、図７における（ハ）は、カバー部材に第二規制部を設けたもので、コーナー部分の壁面に設置するときの実施例である。
この場合であっても、第一壁部１１２と第二壁部１２１は、互いに寄り合うことができないので、前述の実施例と同じく第一壁部１１２と第二壁部１２１が寄り合うように変形することを防止できる。
付け枠基材１１とカバー部材１２のネジ止め位置は、引き戸扉４０が閉止した状態で、引き戸扉４０の戸先端で隠される位置に設けたほうが見栄えがよい。
【００２４】
次に第２実施例について説明する。
第２実施例においては、図８に示すように移設可能な間仕切り壁１Ａと、間仕切り壁１Ａで構成される出入り口開口部２００Ａと同じく間仕切り壁用の縦枠に取り付ける付け枠の実施例である。
図９は、戸先側縦枠の水平断面図であって、符号３０Ａは、開口部の戸先側の縦枠を示し、１０Ａはドアセット４００Ａの戸先側の付け枠を示している。
【００２５】
付け枠１０Ａは、戸先側の縦枠３０Ａの下端部から戸先側の縦枠３０Ａの高さより上方にやや高くまで延伸した縦長形態を成し、主に付け枠基材１１Ａとカバー部材１２Ａで構成され、それぞれ鋼板を折り曲げることによって形成されている。
【００２６】
第２実施例の場合は、図９に示されるように、付け枠の第一壁部１１２Ａは、引き戸扉４０Ａ側の対向面側を形成し、第二壁部１２１Ａは、引き戸扉４０側を形成している。
そして、カバー部材１２Ａの前面側の内面に規制部材１３Ａが不動に取り付けられており、規制部材１３Ａには、付け枠基材１１Ａの前端部に引き戸扉４０Ａ側に延伸する規制受け部１１３Ａに近接する規制部１３１Ａが設けられる。
第一壁部１１２Ａと第二壁部１２１Ａが互いに寄り合う方向に荷重が掛ると、規制部１３１Ａが規制受け部１１３Ａに接触するので、規制部１３１Ａと規制受け部１１３Ａの剛性によって第一壁部１１２Ａと第二壁部１２１Ａが寄り合うように変形することを防止できる。
【産業上の利用可能性】
【００２７】
このような付け枠の構成は、引き戸の戸先だけでなく、戸尻側にも利用でき、引き戸のみならず、開き戸のドアセットに利用することも可能である。
【符号の説明】
【００２８】
１  壁面
２００    開口部
３０      戸先側の縦枠
３０１    見付け面
４０      引き戸扉
１０      付け枠
１１      付け枠基材
１１１    取り付け基部
１１１ａ  丸孔
１１２    第一壁部
１１３    第一規制部
１１４    補強片
１２      カバー部材
１２１    第二壁部
１２２    当接部
１２３    付け枠見付け面
１３      取り付け部材
１３１    基材
１３２    第二規制部
１３３    連結部
３０Ａ    戸先側の縦枠
４０Ａ    引き戸扉
１０Ａ    付け枠
１１Ａ    付け枠基材
１１２Ａ  第一壁部
１１３Ａ  規制受け部
１２Ａ    カバー部材
１２１Ａ  第二壁部
１３Ａ    規制部材
１３１Ａ  規制部
【図１】
2020165095.tif 000003
【図２】
2020165095.tif 000004
【図３】
2020165095.tif 000005
【図４】
2020165095.tif 000006
【図５】
2020165095.tif 000007
【図６】
2020165095.tif 000008
【図７】
2020165095.tif 000009
【図８】
2020165095.tif 000010
【図９】
2020165095.tif 000011